(57)【要約】【課題】無線ＩＣタグを対象物の表面の接線方向に距離を空けて取り付ける。【解決手段】  しおり型タグ４１は、プラスチック等の薄板によって無線ＩＣタグ１が挟持されており湾曲されても元の形状に復元するようになされている。タグ部４２は、無線ＩＣタグ１が狭持している位置が視覚上明確となるように支持部４３と区別して彩色されている。支持部４３は、対象物２と無線ＩＣタグ１との距離を確保するために設けられている。前記薄板のタグ部４２を挟持している側の逆端には装着部４５がピン４４を軸として回動自在に挟持されている。装着部４５は、タグ部４２および支持部４３と任意の角度を保持するようになされている。装着部４５は、対象物２に対して糊、接着剤、クリップ、針等によって装着され、あるいは対象物２に直接挿着される。本発明は非接触通信システムに適用することができる。【選択図】図６
2006085322.tif 000002
【特許請求の範囲】
【請求項１】
対象物に取り付けられる認識札であって、
前記対象物に関する情報を非接触で通信する通信手段と、
長手方向の一端において前記通信手段を支持するとともに、他端において前記対象物に取り付けられることにより、前記対象物から前記通信手段を前記対象物の表面の接線方向に隔離する隔離手段と
を含むことを特徴とする認識札。
【請求項２】
前記隔離手段は、
前記通信手段を支持する支持手段と、
前記対象物と接続される接続手段と
を含むことを特徴とする請求項１に記載の認識札。
【請求項３】
前記支持手段と前記接続手段は、彩色または形状の少なくとも一方によって区分されている
ことを特徴とする請求項２に記載の認識札。
【請求項４】
前記隔離手段は、
前記支持手段と前記接続手段とを連結する連結手段をさらに含み、
前記支持手段は、前記連結手段を軸にして前記接続手段と任意の角度に調整可能である
ことを特徴とする請求項２に記載の認識札。
【請求項５】
前記接続手段は、前記他端に環状の弾性体を備える
ことを特徴とする請求項２に記載の認識札。
【請求項６】
前記隔離手段は、湾曲された状態からの復元力を有する素材から成る
ことを特徴とする請求項１に記載の認識札。
【請求項７】
対象物に関する情報を非接触で通信する通信手段を前記対象物に取り付ける取り付け方法であって、
長手方向の一端において前記通信手段を支持し、他端において前記対象物に取り付けられる隔離手段により、前記対象物から前記通信手段を前記対象物の表面の接線方向に隔離する
ことを特徴とする取り付け方法。
【請求項８】
認識札が取り付けられた認識札付き容器であって、
前記認識札は、
情報を非接触で通信する通信手段と、
長手方向の一端において前記通信手段を支持するとともに、他端において前記認識札付き容器に取り付けられることにより、前記認識札付き容器から前記通信手段を前記認識札付き容器の表面の接線方向に隔離する隔離手段とを含む
ことを特徴とする認識札付き容器。
【発明の詳細な説明】
【技術分野】
【０００１】
本発明は、認識札、取り付け方法、および認識札付容器に関し、例えば、検体の識別情報を非接触で識別情報を読み取る場合に用いて好適な認識札、取り付け方法、および認識札付容器に関する。
【背景技術】
【０００２】
従来、半導体等から成る記録媒体に記憶されている情報を非接触で読み出す技術が存在する（例えば、特許文献１参照）。
【０００３】
例えば、自動車工場等の組立ラインでは、搬送される部品や中間加工品、またはこれらの搬送用のパレットに、その搬送物または製品の種類、ロボットに指示する作業の内容等を示す情報が書き込まれた記録媒体を取り付け、各工程を実行する前にこの記録媒体から情報を読み取って認識し、作業者に指示したり、ロボットを作動させたりすることが行われている。
【０００４】
また例えば、百貨店やスーパーマーケット等においては、商品に取り付けられた記録媒体から、その種類、価格等を示す情報を読み取って在庫管理等に利用することが行われている。以下、記録媒体が取り付けられる部品、商品等を対象物と称する。また対象物に関する情報が書き込まれている記録媒体を内蔵して当該情報を無線通信する電子回路を無線ＩＣ(Integrated Circuit)タグと称する。
【０００５】
図１は、半導体等から成る記録媒体に記憶されている情報を非接触で読み出すためのシステム（以下、非接触通信システムと称する）の一例を示している。このシステムは、無線ＩＣタグ１が取り付けられて連続的に配置された複数の対象物２が、通信装置３と所定の距離を保持した状態で通過するようになされている。
【０００６】
無線ＩＣタグ１は、通信装置３からの要求に対応してメモリ１２（図２）に保持されている対象物２に関する情報をループアンテナ１４（図２）から送信する。
【０００７】
通信装置３は、無線ＩＣタグ１に対して記憶している情報の送信を要求し、この供給に対応して送信された情報を受信するようになされている。
【０００８】
図２は、無線ＩＣタグ１の構成例を示している。制御部１１は、メモリ１２に保持されている制御用プログラムを実行することによって無線ＩＣタグ１の各部を制御する。また制御部１１は、メモリ１２に保持されている情報を読み出して変調部１３に出力する。メモリ１２は、制御部１１によって実行されるプログラム、当該無線ＩＣタグ１が取り付けられる対象物１に関する情報が保持されている。
【０００９】
変調部１３は、制御部１１からの制御に従い、制御部１１から入力されるメモリ１２に保持されていた情報（対象物２に関する情報）を所定の変調方式により変調し、その結果得られた送信信号をループアンテナ１４に出力する。ループアンテナ１４は、変調部１３から入力された送信信号を電磁波として送信する。またループアンテナ１４は、通信装置３から送信された信号を受信して復調部１５に出力する。復調部１５は、ループアンテナ１４から入力された信号を復調し、その結果得られた受信信号を制御部１１に出力する。電源生成部１６は、通信装置３から送信された電磁波とループアンテナ１４との電磁誘導によって生じた電流を元にして電源を生成し、制御部１１を介して無線ＩＣタグ１の各部に供給する。
【００１０】
【特許文献１】特開２００３−１８７１９６号公報
【発明の開示】
【発明が解決しようとする課題】
【００１１】
ところで、無線ＩＣタグ１はその特性として、対象物２が金属であったり、水分を含むもの（例えば、動植物、飲み物が入ったペットボトル等）であったりした場合、送受信される電磁波が金属や水分に干渉されてしまい正常な通信の妨げとなってしまうことがある。
【００１２】
従来、金属による干渉を防ぐために、例えば図３に示す断面図のように、無線ＩＣタグ１の対象物側に、対象物２と無線ＩＣタグ１とを、対象物２の表面の法線方向に隔離するとともに金属の干渉を抑止することができる物質（例えば、図３のフェライト層２１）を設ける等の対策が講じられていた。
【００１３】
しかしながら、フェライト層２１等を設ける方法はコスト高となってしまうという課題があった。
【００１４】
また、水分による干渉を抑止する容易な方法は従来存在していないという課題があった。
【００１５】
さらに、従来の対策では、対象物２と無線ＩＣタグ１とを隔離する場合、図３に示されるように、「対象物２の表面の法線方向に無線ＩＣタグ１を隔離する」という発想しかなく、盲点とも言える「対象物２の表面の接線方向に無線ＩＣタグ１を隔離する」という発想に基づく対策が発明されていなかったという課題があった。
【００１６】
本発明はこのような状況に鑑みてなされたものであり、無線ＩＣタグを対象物の表面の接線方向に距離を空けて取り付けできるようにするものである。
【課題を解決するための手段】
【００１７】
本発明の認識札は、対象物に関する情報を非接触で通信する通信手段と、長手方向の一端において通信手段を支持するとともに、他端において対象物に取り付けられることにより、対象物と通信手段の対応付けを維持した上で対象物から通信手段を対象物の表面の接線方向に隔離する隔離手段とを含むことを特徴とする。
【００１８】
本発明の認識札においては、隔離手段によって対象物から通信手段が対象物の表面の接線方向に隔離される。
【００１９】
したがって、対象物が金属であったり、水分を含んでいたりする場合においても、通信に対する干渉を抑止することができる。
【００２０】
通信手段には、例えば無線ＩＣタグを用いることができる。
【００２１】
隔離手段は、例えば、しおり型の紙やプラスチックにより構成される。
【００２２】
前記隔離手段は、通信手段を支持する支持手段と、対象物と接続される接続手段とを含むようにすることができる。
【００２３】
支持手段と接続手段は、彩色または形状の少なくとも一方によって区分されているようにすることができる。
【００２４】
したがって、通信手段が支持されている支持手段の位置をユーザが明確に視認することが可能となる。
【００２５】
前記隔離手段は、支持手段と接続手段とを連結する連結手段をさらに含むことができ、支持手段は、連結手段を軸にして接続手段と任意の角度に調整可能であるようにすることができる。
【００２６】
したがって、通信手段が支持されている支持手段の角度を、より通信に適した方向に指向させることができる。
【００２７】
前記接続手段は、他端に環状の弾性体を備えるようにすることができる。
【００２８】
したがって、凹凸面を有するような任意形状の対象物に、認識札を取り付けることができる。また、認識札を容易に取り外すことが可能となる。
【００２９】
前記環状の弾性体は、例えば輪ゴムにより構成される。
【００３０】
前記隔離手段は、湾曲された状態からの復元力を有する素材から成るようにすることができる。
【００３１】
したがって、認識札を取り付けた状態で対象物を重ね合わせたとしても、認識札の破損を防ぐことができる。
【００３２】
本発明の取り付け方法は、長手方向の一端において通信手段を支持し、他端において対象物に取り付けられる隔離手段により、対象物と通信手段の対応付けを維持した上で対象物から通信手段を対象物の表面の接線方向に隔離することを特徴とする。
【００３３】
本発明の取り付け方法においては、長手方向の一端において通信手段が支持され、他端が対象物に取り付けられる。
【００３４】
したがって、対象物から通信手段を対象物の表面の接線方向に隔離することができる。
【００３５】
本発明の認識札付き容器は、認識札が認識札付き容器に関する情報を非接触で通信する通信手段と、長手方向の一端において通信手段を支持するとともに、他端において認識札付き容器に取り付けられることにより、対象物と通信手段の対応付けを維持した上で認識札付き容器から通信手段を認識札付き容器の表面の接線方向に隔離する隔離手段とを含むことを特徴とする。
【００３６】
本発明の認識札付き容器においては、隔離手段によって認識札付き容器から通信手段が認識札付き容器の表面の接線方向に隔離される。
【００３７】
したがって、認識札付き容器が金属であったり、認識札付き容器の中身が水分を含んでいたりした場合においても、通信に対する干渉を抑止することができる。
【発明の効果】
【００３８】
本発明によれば、無線ＩＣタグを対象物の表面の接線方向に距離を空けて取り付けることが可能となる。
【発明を実施するための最良の形態】
【００３９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００４１】
請求項１に記載の認識札（例えば、図８のしおり型タグ６１）は、対象物に関する情報を非接触で通信する通信手段（例えば、図２の無線ＩＣタグ１）と、長手方向の一端において通信手段を支持するとともに、他端において対象物に取り付けられることにより、対象物から通信手段を対象物の表面の接線方向に隔離する隔離手段（例えば、図８のタグ部４２、支持部４３、および装着部４５）とを含む。
【００４２】
請求項２の隔離手段は、通信手段を支持する支持手段（例えば、図８のタグ部４２）と、対象物と接続される接続手段（例えば、図８の支持部４３、および装着部４５）とを含む。
【００４３】
請求項４の隔離手段は、支持手段と接続手段とを連結する連結手段（例えば、図８のピン４４）をさらに含み、支持手段は、連結手段を軸にして接続手段と任意の角度に調整可能である。
【００４４】
請求項５の接続手段は、他端に環状の弾性体（例えば、図８の装着バンド６２）を備える。
【００４５】
請求項７に記載の取り付け方法は、長手方向の一端において通信手段（例えば、図１の無線ＩＣタグ１）を支持し、他端において対象物に取り付けられる隔離手段（例えば、図８のタグ部４２、支持部４３、および装着部４５）により、対象物から通信手段を対象物の表面の接線方向に隔離する。
【００４６】
請求項８に記載の認識札付き容器（例えば、図１９の対象物（牛乳パック））は、認識札（例えば、図９の細型タグ７１）が、情報を非接触で通信する通信手段（例えば、図１の無線ＩＣタグ１）と、長手方向の一端において通信手段を支持するとともに、他端において認識札付き容器に取り付けられることにより、認識札付き容器から通信手段を認識札付き容器の表面の接線方向に隔離する隔離手段（例えば、図９のタグ部７２および装着支持部７３）とを含む。
【００４７】
以下、本発明を適用した具体的な実施の形態について、図面を参照しながら詳細に説明する。なお、以下に説明する本実施の形態において採用する無線ＩＣタグ１は、１０ｍｍ四方程度のサイズであるが、より小さいまたはより大きいサイズのものを採用しても構わない。
【００４８】
図４は、本発明の第１の実施の形態であるしおり型タグ３１の外観を示している。図４Ａは正面図であり、図４Ｂは断面図である。
【００４９】
このしおり型タグ３１は、紙やプラスチック等の矩形の薄板によって無線ＩＣタグ１が挟持された構造を有しており、長手方向に湾曲されても元の形状に復元するようになされている。薄板の無線ＩＣタグ１を狭持している部分をタグ部３２、それ以外の部分を装着支持部３３と称する。
【００５０】
タグ部３２は、例えば手動によって通信装置３を無線ＩＣタグ１の近くに寄せる際に無線ＩＣタグ１の狭持されている位置が視覚上明確となるように、装着支持部３３と区別して彩色されている。装着支持部３３は、対象物２に対して糊、接着剤、クリップ、針等によって装着され、あるいは対象物２に直接挿着されて、対象物２と無線ＩＣタグ１との距離を確保する。装着支持部３３の長さは、対象物２の金属や水分の干渉を考慮して、数ｃｍ（例えば５ｃｍ程度）であればよい。
【００５１】
図５は、本発明の第２の実施の形態であるしおり型タグ４１の外観を示している。図５Ａは正面図であり、図５Ｂは断面図である。
【００５２】
このしおり型タグ４１は、紙やプラスチック等の矩形の薄板によって無線ＩＣタグ１が挟持された構造を有しており、長手方向に湾曲されても元の形状に復元するようになされている。薄板の無線ＩＣタグ１を狭持している部分をタグ部４２、それ以外の部分を支持部４３と称する。
【００５３】
タグ部４２は、無線ＩＣタグ１が狭持している位置が視覚上明確となるように支持部４３と区別して彩色されている。支持部４３は、対象物２と無線ＩＣタグ１との距離を確保するために設けられている。前記薄板のタグ部４２を挟持している側の逆端には装着部４５がピン４４を軸として回動自在に挟持されている。装着部４５は、例えば図６に示すように、タグ部４２および支持部４３と任意の角度を保持するようになされている。装着部４５は、対象物２に対して糊、接着剤、クリップ、針等によって装着され、あるいは対象物２に直接挿着される。
【００５４】
図７は、本発明の第３の実施の形態であるしおり型タグ５１の外観を示している。図７Ａは正面図であり、図７Ｂは断面図である。
【００５５】
このしおり型タグ５１は、図４に示されたしおり型タグ３１の装着支持部３３の端に、例えば輪ゴムのような環状の弾性素材よりなる装着バンド５２を追加したものであり、その他の構成についてはしおり型タグ３１と同様であって同じ符号が付与されている。装着バンド５２を備えることにより、しおり型タグ５１を、凹凸面のある任意の形状の対象物２（例えば、ペットボトル）に取り付けることが可能となる。
【００５６】
図８は、本発明の第４の実施の形態であるしおり型タグ６１の外観を示している。図８Ａは正面図であり、図８Ｂは断面図である。
【００５７】
このしおり型タグ６１は、図５に示されたしおり型タグ４１の装着部４５の端に、例えば輪ゴムのような環状の弾性体素材よりなる装着バンド６２を追加したものであり、その他の構成についてはしおり型タグ４１と同様であって同じ符号が付与されている。装着バンド６２を備えることにより、しおり型タグ６１を、凹凸面のある任意の形状の対象物２に取り付けることが可能となる。
【００５８】
図９は、本発明の第５の実施の形態である細型タグ７１の外観を示している。図９Ａは正面図であり、図９Ｂは断面図である。
【００５９】
この細型タグ７１は、紙やプラスチック等の薄板によって無線ＩＣタグ１が挟持された構造を有しており、長手方向に湾曲されても元の形状に復元するようになされている。薄板の無線ＩＣタグ１を狭持している部分をタグ部７２、それ以外の部分を装着支持部７３と称する。
【００６０】
装着支持部７３は、その横幅がタグ部７２の横幅に比較して狭く形成されている。したがって、ユーザは無線ＩＣタグ１が狭持されている位置を速やかに認識することができる。なお、タグ部７２と装着支持部７３とを色分けして彩色するようにしてもよい。装着支持部７３は、対象物２に対して糊、接着剤、クリップ、針等によって装着され、あるいは対象物２に直接挿着されて、対象物２と無線ＩＣタグ１との距離を確保する。
【００６１】
図１０は、本発明の第６の実施の形態である細型タグ８１の外観を示している。図１０Ａは正面図であり、図１０Ｂは断面図である。
【００６２】
この細型タグ８１は、紙やプラスチック等の薄板によって無線ＩＣタグ１が挟持された構造を有しており、長手方向に湾曲されても元の形状に復元するようになされている。薄板の無線ＩＣタグ１を狭持している部分をタグ部８２、それ以外の部分を支持部８３と称する。
【００６３】
装着支持部８３は、その横幅がタグ部８２の横幅に比較して狭く形成されている。したがって、ユーザは無線ＩＣタグ１が狭持されている位置を速やかに認識することができる。なお、タグ部８２と装着支持部８３とを色分けして彩色するようにしてもよい。支持部８３は、対象物２と無線ＩＣタグ１との距離を確保するために設けられている。前記薄板のタグ部８２を挟持している側の逆端には装着部８５がピン８４を軸として回動自在に挟持されている。装着部８５は、例えば図１１に示すように、タグ部８２および支持部８３と任意の角度を保持するようになされている。装着部８５は、対象物２に対して糊、接着剤、クリップ、針等によって装着され、あるいは対象物２に直接挿着される。
【００６４】
図１２は、本発明の第７の実施の形態である細型タグ９１の外観を示している。図１２Ａは正面図であり、図１２Ｂは断面図である。
【００６５】
この細型タグ９１は、図９に示された細型タグ７１の装着支持部７３の端に、例えば輪ゴムのような環状の弾性素材よりなる装着バンド９２を追加したものであり、その他の構成については細型タグ７１と同様であって同じ符号が付与されている。装着バンド９２を備えることにより、細型タグ９１を、凹凸面のある任意の形状の対象物２に取り付けることが可能となる。
【００６６】
図１３は、本発明の第８の実施の形態である細型タグ１０１の外観を示している。図１３Ａは正面図であり、図１３Ｂは断面図である。
【００６７】
この細型タグ１０１は、図１０に示された細型タグ８１の装着部８５の端に、例えば輪ゴムのような環状の弾性体素材よりなる装着バンド１０２を追加したものであり、その他の構成については細型タグ８１と同様であって同じ符号が付与されている。装着バンド１０２を備えることにより、細型タグ１０１を、凹凸面のある任意の形状の対象物２に取り付けることが可能となる。
【００６８】
図１４は、本発明の第９の実施の形態である立体型タグ１１１の外観を示している。この立体型タグ１１１は、プラスチック等の立体であって無線ＩＣタグ１を内蔵するタグ部１１２と、一端がタグ部１１２を支持し、他端が対象物２に装着される装着支持部１１３から構成される。
【００６９】
タグ部１１２を構成する立体の厚みは、例えば１ｃｍ程度以上とする。タグ部１１２が立体とされていることにより、他の立体型タグ１１１等と隣接して配置された場合においても、内蔵された無線ＩＣタグ１同士を当該立体の厚みの分だけ離すことができる。したがって、無線ＩＣタグ１同士が接近しすぎたことによる通信ミス等の発生を抑止することができる。
【００７０】
また、タグ部１１２が立体であることにより、ユーザは無線ＩＣタグ１が内蔵されている位置を速やかに認識することができる。なお、タグ部１１２と装着支持部１１３とを色分けして彩色するようにしてもよい。
【００７１】
装着支持部１１３は、例えば、紙、プラスチック、木、等を素材とし、対象物２に対して糊、接着剤、クリップ、針等によって装着され、あるいは対象物２に直接挿着されて、対象物２と無線ＩＣタグ１との距離を確保する。装着支持部１１３の長さは、対象物２の金属や水分の干渉を考慮して、数ｃｍ（例えば５ｃｍ程度）であればよい。
【００７２】
図１５は、本発明の第１０の実施の形態であるまち針型タグ１２１の外観を示している。このまち針型タグ１２１は、プラスチック等の球体であって無線ＩＣタグ１を内蔵するタグ部１２２と、一端がタグ部１２２を支持し、他端が対象物２に装着される装着支持部１２３から構成される。
【００７３】
タグ部１２２は、薄板ではなく球体とされているので、他のまち針型タグ１２１等と隣接して配置された場合においても、内蔵された無線ＩＣタグ１同士を当該球体の厚みの分だけ離すことができる。したがって、無線ＩＣタグ１同士が接近しすぎたことによる通信ミス等の発生を抑止することができる。
【００７４】
また、タグ部１２２が球体であることにより、ユーザは無線ＩＣタグ１が内蔵されている位置を速やかに認識することができる。なお、タグ部１２２と装着支持部１２３とを色分けして彩色するようにしてもよい。
【００７５】
装着支持部１２３は、例えば、紙、プラスチック、木、等を素材とし、対象物２に対して糊、接着剤、クリップ、針等によって装着され、あるいは対象物２に直接挿着されて、対象物２と無線ＩＣタグ１との距離を確保する。装着支持部１２３の長さは、対象物２の金属や水分の干渉を考慮して、数ｃｍ（例えば５ｃｍ程度）であればよい。
【００７６】
次に図１６および図１７は、しおり型タグ６１の対象物２に対する取り付け例を示している。
【００７７】
しおり型タグ６１は、装着バンド６２を備えるので、例えば図１６に示すような円柱状の缶、図１７に示すような液体が入ったペットボルト等の任意の形状の対象物２に対して極めて容易に外れ難く取り付けることができる。また、しおり型タグ６１は、極めて容易に取り外しを行うことができるので、記録されている情報の漏洩防止やしおり型タグ６１の再利用が可能となる。しおり型タグ５１、細型タグ９１および１０１も同様である。
【００７８】
また、しおり型タグ６１は、支持部４３の長さ分だけ無線ＩＣタグ１を対象物２から対象物２の表面の接線方向に向かって隔離することができる。したがって、対象物２が図１６に示されたような金属製の缶であったり、図１７に示された液体の入ったペットボトルであったりしても、金属や水分に起因する無線ＩＣタグ１と通信装置３との電磁波の通信の干渉を抑止することができる。しおり型タグ３１，４１，５１、細型タグ７１，８１，９１，１０１、立体型タグ１１１、およびまち針型タグ１２１も同様である。
【００７９】
さらに、しおり型タグ６１は、装着部４５と支持部４３との角度を任意に変更することができるので、無線ＩＣタグ１が挟持されているタグ部４２を、通信装置３と通信し易い角度に位置に配置することができる。さらに未使用時にはピン４４を軸にして折り畳むことができるので、保管持の省スペース化に効果的である。しおり型タグ４１，５１、細型タグ８１および１０１も同様である。
【００８０】
以上説明したしおり型タグ６１の特徴を利用すれば、例えば図１８に示すように複数の対象物２を管理する場合、各タグ部４２を対象物２から突出させ、且つ、これらの向きを統一することが容易に行えるので、各対象物２に取り付けられた複数のしおり型タグ６１の情報を一気に読み取る作業が容易となる。
【００８１】
なお、例えば図１９に示すように、細型タグ７１等を接着剤等で取り付けた容器（例えば、牛乳等が詰められて販売される紙パック）を製造すれば、容器の製造段階から容器に中身（牛乳等）が詰められて小売りされるまでの各過程の商品管理に無線ＩＣタグ１を利用することができる。さらに、細型タグ７１のように接着面が比較的狭ければ、消費者に販売する際、細型タグ７１を容易に剥がすことができる。よって、無線ＩＣタグ１に記録されている情報の漏洩を防ぐとともに、無線ＩＣタグ１の再利用が可能となる。
【図面の簡単な説明】
【００８２】
【図１】非接触通信システムの構成例を示す図である。
【図２】図１の無線ＩＣタグの構成例を示す図である。
【図３】通信の干渉を防ぐ従来技術を説明するための図である。
【図４】本発明の第１の実施の形態であるしおり型タグの外観図である。
【図５】本発明の第２の実施の形態であるしおり型タグの外観図である。
【図６】本発明の第１の実施の形態であるしおり型タグの外観図である。
【図７】本発明の第３の実施の形態であるしおり型タグの外観図である。
【図８】本発明の第４の実施の形態であるしおり型タグの外観図である。
【図９】本発明の第５の実施の形態である細型タグの外観図である。
【図１０】本発明の第６の実施の形態である細型タグの外観図である。
【図１１】本発明の第４の実施の形態である細型タグの外観図である。
【図１２】本発明の第７の実施の形態である細型タグの外観図である。
【図１３】本発明の第８の実施の形態である細型タグの外観図である。
【図１４】本発明の第９の実施の形態である立体型タグの外観図である。
【図１５】本発明の第１０の実施の形態であるまち針型タグの外観図である。
【図１６】しおり型タグを対象物に取り付けた状態の一例を示す図である。
【図１７】しおり型タグを対象物に取り付けた状態の一例を示す図である。
【図１８】しおり型タグを対象物に取り付けた状態の一例を示す図である。
【図１９】細型タグを取り付けた対象物の一例を示す図である。
【符号の説明】
【００８３】
１  無線ＩＣタグ
２  対象物
３  通信装置
３１  しおり型タグ
３２  タグ部
３３  装着支持部
４１  しおり型タグ
４２  タグ部
４３  支持部
４４  ピン
４５  装着部
５１  しおり型タグ
５２  装着バンド
６１  しおり型タグ
６２  装着バンド
７１  細型タグ
７２  タグ部
７３  装着支持部
８１  細型タグ
８２  タグ部
８３  支持部
８４  ピン
８５  装着部
９１  細型タグ
９２  装着バンド
１０１  細型タグ
１０２  装着バンド
１１１  立体型タグ
１１１  タグ部
１１２  装着支持部
１２１  まち針型タグ
１２１  タグ部
１２２  装着支持部
【図１】
2006085322.tif 000003
【図２】
2006085322.tif 000004
【図３】
2006085322.tif 000005
【図４】
2006085322.tif 000006
【図５】
2006085322.tif 000007
【図６】
2006085322.tif 000008
【図７】
2006085322.tif 000009
【図８】
2006085322.tif 000010
【図９】
2006085322.tif 000011
【図１０】
2006085322.tif 000012
【図１１】
2006085322.tif 000013
【図１２】
2006085322.tif 000014
【図１３】
2006085322.tif 000015
【図１４】
2006085322.tif 000016
【図１５】
2006085322.tif 000017
【図１６】
2006085322.tif 000018
【図１７】
2006085322.tif 000019
【図１８】
2006085322.tif 000020
【図１９】
2006085322.tif 000021